【手続補正書】
【提出日】平成18年11月28日(2006.11.28)
【手続補正１】
【補正対象書類名】明細書
【補正対象項目名】特許請求の範囲
【補正方法】変更
【補正の内容】
【特許請求の範囲】
【請求項１】  複数の排紙口を有する印刷装置であって、
複数のジョブの入力を受け付けるジョブ受け付け手段と、前記ジョブ受け付け手段で受け付けたジョブを解釈しページを作成する作成手段と、前記ページは前記複数のジョブのうちいずれのジョブであるかと前記ページを印刷した用紙を前記複数の排紙口のうちいずれの排紙口とするかをページ単位で関連づける関連付手段とを有し、
前記ジョブ受け付け手段が２つのジョブを受け付け、前記関連付手段によってページ単位で関連づけられた排紙口が各ジョブでそれぞれ異なる場合は、前記関連付手段で関連づけた排紙口におのおの出力し、前記関連付手段によってページ単位で関連づけられた排紙口が各ジョブで同じ場合は、前記関連付手段で関連づけた排紙口に一方のジョブのページを出力するよう制御する制御手段を有することを特徴とする印刷装置。
【請求項２】  前記制御手段は、前記関連付手段によってページ単位で関連づけられた排紙口が各ジョブで同じ場合は、一方のジョブの前記同じ排紙口への出力を終了してから他方のジョブの前記同じ排紙口へ出力することを特徴とする請求項１記載の印刷装置。
【請求項３】  前記制御手段は、前記関連付手段によってページ単位で関連づけられた排紙口が各ジョブでそれぞれ異なる場合は、一方のジョブの排紙口への出力終了を待たずに他方のジョブを異なる排紙口へ出力することを特徴とする請求項１又は２記載の印刷装置。
【請求項４】  前記関連付手段は、当該ジョブの全頁の処理が終了した場合に前記関連付けを抹消することを特徴とする請求項１乃至３のいずれかに記載の印刷装置。
【請求項５】  複数の排紙口を有する印刷装置に適用される排紙制御方法を実行するプログラムを記憶したコンピュータにより読み出し可能な記憶媒体であって、
前記排紙制御方法は、複数のジョブの入力を受け付けるジョブ受け付けステップと、前記ジョブ受け付けステップで受け付けたジョブを解釈しページを作成する作成ステップと、前記ページは前記複数のジョブのうちいずれのジョブであるかと前記ページを印刷した用紙を前記複数の排紙口のうちいずれの排紙口とするかをページ単位で関連づける関連付ステップとを有し、
前記ジョブ受け付けステップで２つのジョブを受け付け、前記関連付ステップによってページ単位で関連づけられた排紙口が各ジョブでそれぞれ異なる場合は、前記関連付ステップで関連づけた排紙口におのおの出力し、前記関連付ステップによってページ単位で関連づけられた排紙口が各ジョブで同じ場合は、前記関連付ステップで関連づけた排紙口に一方のジョブのページを出力するよう制御する制御ステップを有することを特徴とする記憶媒体。
【請求項６】  前記制御ステップは、前記関連付ステップによってページ単位で関連づけられた排紙口が各ジョブで同じ場合は、一方のジョブの前記同じ排紙口への出力を終了してから他方のジョブの前記同じ排紙口へ出力することを特徴とする請求項５記載の記憶媒体。
【請求項７】  前記制御ステップは、前記関連付ステップによってページ単位で関連づけられた排紙口が各ジョブでそれぞれ異なる場合は、一方のジョブの排紙口への出力終了を待たずに他方のジョブを異なる排紙口へ出力することを特徴とする請求項５又は６記載の記憶媒体。
【請求項８】  前記関連付ステップは、当該ジョブの全頁の処理が終了した場合に前記関連付けを抹消することを特徴とする請求項５乃至７のいずれかに記載の記憶媒体。
【請求項９】  複数の排紙口を有する印刷装置に適用される排紙制御方法であって、
複数のジョブの入力を受け付けるジョブ受け付けステップと、前記ジョブ受け付けステップで受け付けたジョブを解釈しページを作成する作成ステップと、前記ページは前記複数のジョブのうちいずれのジョブであるかと前記ページを印刷した用紙を前記複数の排紙口のうちいずれの排紙口とするかをページ単位で関連づける関連付ステップとを有し、
前記ジョブ受け付けステップで２つのジョブを受け付け、前記関連付ステップによってページ単位で関連づけられた排紙口が各ジョブでそれぞれ異なる場合は、前記関連付ステップで関連づけた排紙口におのおの出力し、前記関連付ステップによってページ単位で関連づけられた排紙口が各ジョブで同じ場合は、前記関連付ステップで関連づけた排紙口に一方のジョブのページを出力するよう制御する制御ステップを有することを特徴とする排紙制御方法。
【手続補正２】
【補正対象書類名】明細書
【補正対象項目名】０００５
【補正方法】変更
【補正の内容】
【０００５】
【課題を解決するための手段】
上記目的を達成するために、本発明は、複数の排紙口を有する印刷装置であって、複数のジョブの入力を受け付けるジョブ受け付け手段と、前記ジョブ受け付け手段で受け付けたジョブを解釈しページを作成する作成手段と、前記ページは前記複数のジョブのうちいずれのジョブであるかと前記ページを印刷した用紙を前記複数の排紙口のうちいずれの排紙口とするかをページ単位で関連づける関連付手段とを有し、前記ジョブ受け付け手段が複数のジョブを受け付け、前記関連付手段によってページ単位で関連づけられた排紙口が各ジョブでそれぞれ異なる場合は、前記関連付手段で関連づけた排紙口におのおの出力し、前記関連付手段によってページ単位で関連づけられた排紙口が各ジョブで同じ場合は、前記関連付手段で関連づけた排紙口に一方のジョブのページを出力するよう制御する制御手段を有することを特徴とする。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】変更
【補正の内容】
【０００８】
上記目的を達成するために、本発明は、複数の排紙口を有する印刷装置に適用される排紙制御方法を実行するプログラムを記憶したコンピュータにより読み出し可能な記憶媒体であって、前記排紙制御方法は、複数のジョブの入力を受け付けるジョブ受け付けステップと、前記ジョブ受け付けステップで受け付けたジョブを解釈しページを作成する作成ステップと、前記ページは前記複数のジョブのうちいずれのジョブであるかと前記ページを印刷した用紙を前記複数の排紙口のうちいずれの排紙口とするかをページ単位で関連づける関連付ステップとを有し、前記ジョブ受け付けステップで複数のジョブを受け付け、前記関連付ステップによってページ単位で関連づけられた各ジョブの排紙口がそれぞれ異なる場合は、前記関連付ステップで関連づけた排紙口におのおの出力し、前記関連付ステップによってページ単位で関連づけられた各ジョブの排紙口が同じ場合は、前記関連付ステップで関連づけた排紙口に一方のジョブのページを出力するよう制御する制御ステップを有することを特徴とする。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】変更
【補正の内容】
【００１１】
上記目的を達成するために、本発明は、複数の排紙口を有する印刷装置に適用される排紙制御方法であって、複数のジョブの入力を受け付けるジョブ受け付けステップと、前記ジョブ受け付けステップで受け付けたジョブを解釈しページを作成する作成ステップと、前記ページは前記複数のジョブのうちいずれのジョブであるかと前記ページを印刷した用紙を前記複数の排紙口のうちいずれの排紙口とするかをページ単位で関連づける関連付ステップとを有し、前記ジョブ受け付けステップで複数のジョブを受け付け、前記関連付ステップによってページ単位で関連づけられた排紙口が各ジョブでそれぞれ異なる場合は、前記関連付ステップで関連づけた排紙口におのおの出力し、前記関連付ステップによってページ単位で関連づけられた排紙口が各ジョブで同じ場合は、前記関連付ステップで関連づけた排紙口に一方のジョブのページを出力するよう制御する制御ステップを有することを特徴とする。
【手続補正９】
【補正対象書類名】明細書
【補正対象項目名】００２０
【補正方法】変更
【補正の内容】
【００２０】
尚、本発明の特許請求の範囲における各構成要件と、本発明の実施の形態に係る印刷装置の各部との対応関係は下記の通りである。ジョブ受け付け手段、作成手段、関連付手段、制御手段はコントローラ１０３のＣＰＵ１０５及びＣＰＵ１０５で実行するプログラムに対応し、複数の排紙口はプリントエンジン１１０の排紙トレイＡ〜排紙トレイＣに対応する。
【手続補正１０】
【補正対象書類名】明細書
【補正対象項目名】００３６
【補正方法】変更
【補正の内容】
【００３６】
【発明の効果】
以上説明したように、本発明によれば、複数のジョブが使用する排紙口が重複しない場合は、それぞれのジョブは並行処理されるので、出来上がったページから次々と出力でき、他方、複数のジョブが使用する排紙口が重複してしまった場合は、一つのジョブは一つの排紙口ではまとまって出力され、混在しないようにすることができる。即ち、複数のジョブを並行処理した場合でも印字結果がジョブ内で混在しないという効果を奏する。
【手続補正１１】
【補正対象書類名】明細書
【補正対象項目名】００３７
【補正方法】削除
【補正の内容】
【手続補正１２】
【補正対象書類名】明細書
【補正対象項目名】００３８
【補正方法】削除
【補正の内容】